(57)【特許請求の範囲】
【請求項１】
エンジン，前記エンジンによって駆動される圧縮機本体，及び前記圧縮機本体に対する吸気を制御する吸気調整装置を備え，前記吸気調整装置が，前記圧縮機本体の吸気口を開閉する吸気調整弁と，前記吸気調整弁の閉弁受圧室と前記圧縮機本体の吐出側間を連通する制御流路と，前記圧縮機本体の吐出側圧力が所定の定格圧力以上のときに前記制御流路を開き，前記定格圧力未満のとき前記制御流路を閉じる圧力調整弁を備えたエンジン駆動型圧縮機において，
前記吸気調整弁に気密室を設け，該気密室内を，弁体の動作を制御する受圧体によって仕切ることで，一方を前記閉弁受圧室と成すと共に，他方を補助受圧室とし，前記閉弁受圧室内の圧縮気体を逃がす逃がし流路と，前記補助受圧室内への外気の導入及び排出を可能とする吸排気流路を設け，
前記逃がし流路と前記吸排気流路を閉じ，かつ，前記閉弁受圧室と前記圧縮機本体の吐出側とを連通すると共に，前記補助受圧室を前記吸気調整弁の二次側に連通した状態でエンジンを始動させ，始動負荷軽減モードでの始動を行い，
前記エンジンの始動が判定され，かつ，前記エンジンが所定の安定運転状態になったと判定されるまで，前記始動負荷軽減モードでの運転を維持すると共に，その後，前記吸気調整装置による吸気調整を行う通常運転モードに移行することを特徴とするエンジン駆動型圧縮機の始動制御方法。
【請求項２】
前記エンジンが前記安定運転状態になったと判定された後，前記逃がし流路と前記吸排気流路を開き，かつ，前記補助受圧室と前記吸気調整弁の二次側との連通を遮断すると共に，前記始動負荷軽減モードでの始動の際に行った前記閉弁受圧室と前記圧縮機本体の吐出側との連通を遮断して，前記通常運転モードに移行することを特徴とする請求項１記載のエンジン駆動型圧縮機の始動制御方法。
【請求項３】
前記エンジンの運転状態が所定の始動判定条件を満たしたときに，前記エンジンの始動を判定し，
前記エンジンの始動判定後，第一の所定時間が経過し，かつ，前記エンジンの冷却水温度が所定の暖機完了温度を超えるか，又は，前記第一の所定時間の経過から更に第二の所定時間が経過するかの，いずれかの条件が満たされたとき，前記エンジンが前記安定運転状態となったことを判定する請求項１又は２記載のエンジン駆動型圧縮機の始動制御方法。
【請求項４】
前記安定運転状態となったことの判定により，前記吸排気流路を開くと共に，前記補助受圧室と前記吸気調整弁の二次側との連通を遮断する通常運転移行準備を行い，
前記安定運転状態となったことの判定より更に第三の所定時間が経過したとき，前記逃がし流路を開くと共に，前記始動負荷軽減モードでの始動の際に行った前記閉弁受圧室と前記圧縮機本体の吐出側との連通を遮断して，前記通常運転モードに移行することを特徴とする請求項１〜３いずれか１項記載のエンジン駆動型圧縮機の始動制御方法。
【請求項５】
前記通常運転モードによる運転時，前記圧縮機本体の吐出側圧力に応じて無負荷回転速度と定格回転速度間で前記エンジンの回転速度を制御する速度制御を行うと共に，
前記通常運転モードへの移行前，前記通常運転モードにおける前記無負荷回転速度よりも高い回転速度である始動回転速度での定速運転となるよう前記エンジンの回転速度を制御することを特徴とする請求項１〜４いずれか１項記載のエンジン駆動型圧縮機の始動制御方法。
【請求項６】
前記エンジンの始動判定を，前記エンジンの回転速度が所定の始動判定回転速度を超えたとき，前記エンジンに設けた発電装置の発電電圧又は電流が所定の始動判定値を超えたとき，又は，前記エンジンの油圧が所定の始動判定圧力を超えたときのいずれかの条件を満たしたときに行うことを特徴とする請求項１〜５いずれか１項記載のエンジン駆動型圧縮機の始動制御方法。
【請求項７】
エンジン，前記エンジンによって駆動される圧縮機本体，及び前記圧縮機本体に対する吸気を制御する吸気調整装置を備え，前記吸気調整装置が，前記圧縮機本体の吸気口を開閉する吸気調整弁と，前記吸気調整弁の閉弁受圧室と前記圧縮機本体の吐出側間を連通する制御流路と，前記圧縮機本体の前記吐出側圧力が所定の定格圧力以上のときに前記制御流路を開き，前記定格圧力未満のとき前記制御流路を閉じる圧力調整弁を備えたエンジン駆動型圧縮機において，
前記吸気調整弁に気密室を設け，該気密室内を，弁体の動作を制御する受圧体によって仕切ることで，一方を前記閉弁受圧室と成すと共に，他方を補助受圧室とし，前記閉弁受圧室内の圧縮気体を逃がす逃がし流路，前記補助受圧室内への外気の導入及び排出を可能とする吸排気流路，前記吸気調整弁の前記閉弁受圧室を前記圧縮機本体の吐出側と連通させる強制閉弁流路，及び，前記補助受圧室を前記吸気調整弁の二次側に連通する吸引流路をそれぞれ設けると共に，前記各流路を開閉する電磁弁を設け，
前記エンジンの運転状態を判定するエンジン運転状態判定手段と，前記エンジン運転状態判定手段の判定結果に従い，運転モードを切り替える運転モード切替手段を設け，
前記運転モード切替手段に，前記電磁弁の開閉動作を制御する電磁弁制御手段を更に設けると共に，
前記電磁弁制御手段が，
前記エンジン運転状態判定手段が，前記エンジンが始動待機状態にあると判定したとき，前記逃がし流路と前記吸排気流路を閉じ，前記強制閉弁流路と前記吸引流路を開く制御信号を前記各電磁弁に出力した始動負荷軽減モードで前記エンジンの始動を待機し，
前記エンジン運転状態判定手段が，前記エンジンが始動したことを判定し，かつ，前記エンジンが所定の安定運転状態になったと判定する迄，前記始動負荷軽減モードを維持すると共に，その後，前記吸気調整装置による吸気調整を行う通常運転モードに移行することを特徴とするエンジン駆動型圧縮機。
【請求項８】
前記電磁弁制御手段は，前記エンジン運転状態判定手段が前記安定運転状態になったことを判定した後，前記逃がし流路と前記吸排気流路の開放と，前記強制閉弁流路と前記吸引流路の閉塞を行う制御信号を前記各電磁弁に出力することにより，前記通常運転モードへ移行することを特徴とする請求項７記載のエンジン駆動型圧縮機。
【請求項９】
前記エンジン運転状態判定手段は，前記エンジンの運転状態が所定の始動判定条件を満たしたときに，前記エンジンの始動を判定すると共に，前記エンジンの始動判定後，第一の所定時間が経過し，かつ，前記エンジンの冷却水温度が所定の暖機完了温度を超えるか，又は，前記第一の所定時間の経過から更に第二の所定時間が経過するかの，いずれかの条件が満たされたとき，前記エンジンが前記安定運転状態となったことを判定する請求項７又は８記載のエンジン駆動型圧縮機。
【請求項１０】
前記電磁弁制御手段は，
前記エンジン運転状態判定手段が，前記エンジンが前記安定運転状態になったことを判定したとき，前記吸排気流路を開くと共に，前記吸引流路を閉じる制御信号を出力する，通常運転移行準備を実行すると共に，
前記安定運転状態の判定後，更に第三の所定時間が経過したとき，前記逃がし流路を開くと共に，前記強制閉弁流路を閉じる制御信号を出力して，前記通常運転モードへ移行することを特徴とする請求項７〜９いずれか１項記載のエンジン駆動型圧縮機。
【請求項１１】
前記運転モード切替手段が，エンジンに対し回転速度を指令する速度指令を出力するエンジン速度指令手段を更に備え，
前記エンジン速度指令手段が，
前記通常運転モードによる運転時，前記圧縮機本体の吐出側圧力に応じて無負荷回転速度と定格回転速度間で前記エンジンの回転速度を制御する速度指令を出力すると共に，
前記通常運転モードへの移行前，前記エンジンの回転速度を，前記通常運転モードにおける前記無負荷回転速度よりも高い回転速度である始動回転速度による定速運転とする速度指令を出力することを特徴とする請求項７〜１０いずれか１項記載のエンジン駆動型圧縮機。
【請求項１２】
前記エンジン運転状態判定手段が，前記エンジンの始動判定を，前記エンジンの回転速度が所定の始動判定回転速度を超えたとき，前記エンジンに設けた発電装置の発電電圧又は電流が所定の始動判定値を超えたとき，又は，前記エンジンの油圧が所定の始動判定圧力を超えたときのいずれかの条件を満たしたときに行うことを特徴とする請求項７〜１１いずれか１項記載のエンジン駆動型圧縮機。
【発明の詳細な説明】
【技術分野】
【０００１】
本発明はエンジン駆動型圧縮機の始動制御方法，及び前記始動制御方法を実行するエンジン駆動型圧縮機に関し，より詳細には，エンジン駆動型圧縮機を，始動負荷を軽減した状態で始動させるための始動制御方法及び前記始動方法を実行するエンジン駆動型圧縮機に関する。
【背景技術】
【０００２】
圧縮機本体を駆動する駆動源としてディーゼルエンジン（以下単に「エンジン」と言う）を備えたエンジン駆動型圧縮機は，電源の確保が困難である土木作業現場や建築現場等の屋外における作業等において広く使用されている。
【０００３】
このようなエンジン駆動型圧縮機の一例として，被圧縮気体を潤滑油と共に圧縮して気液混合流体として吐出する，油冷式の圧縮機を圧縮機本体３４０として備えたエンジン駆動型圧縮機３００の構成例を図７に示す。
【０００４】
このエンジン駆動型圧縮機３００では，前述した圧縮機本体３４０とエンジン３５０の他，圧縮機本体３４０より圧縮気体と共に吐出された潤滑油を分離するためのレシーバタンク３６０を備え，このレシーバタンク３６０内で潤滑油が分離された後の圧縮気体を，オイルセパレータ３６６を介してさらに油分を除去した後，図示せざる空気作業機等が接続された消費側に供給することができるように構成されていると共に，レシーバタンク３６０内に回収された潤滑油を，オイルクーラ３６３，オイルフィルタ３６７を介して圧縮機本体３４０に供給する給油流路３６４が設けられている。
【０００５】
このようなエンジン駆動型圧縮機３００には，消費側に対し，安定した圧力の圧縮気体を供給することができるようにするために，圧縮機本体３４０の吐出側圧力，図示の構成ではレシーバタンク３６０内の圧力に応じて，圧縮機本体３４０の吸気量を調整する吸気調整装置３１０が設けられている。
【０００６】
この吸気調整装置３１０として，図７に示すエンジン駆動型圧縮機では，圧縮機本体３４０の吸気口３４１を開閉する吸気調整弁３１１と，この吸気調整弁３１１を開閉制御するアンローダレギュレータ３１６を設け，このアンローダレギュレータ３１６とレシーバタンク３６０を制御流路３１２によって連通してレシーバタンク３６０内の圧縮気体を，吸気調整弁３１１を閉弁するための作動圧力としてアンローダレギュレータ３１６に導入可能と成すと共に，レシーバタンク３６０内の圧力が所定の定格圧力以上のとき制御流路３１２を開く圧力調整弁３１３を設けている。
【０００７】
なお，図７中の符号３１４は逃がし流路であり，圧力調整弁３１３が制御流路３１２を閉じてアンローダレギュレータ３１６に対する圧縮気体の導入が停止した際，アンローダレギュレータ３１６の受圧室内の圧縮気体を絞り３１５を介して放気して，アンローダレギュレータ３１６をリターンスプリング（図示せず）の付勢力によって全開位置に復帰させることができるように構成されている。
【０００８】
このように構成された吸気調整装置３１０を設けることで，レシーバタンク３６０内の圧力が定格圧力以上になると，アンローダレギュレータ３１６にレシーバタンク３６０内の圧縮気体の導入が開始されて，吸気調整弁３１１が圧縮機本体３４０の吸気口３４１を絞り，又は閉じると共に，レシーバタンク３６０内の圧力が定格圧力未満に低下すると，吸気調整弁３１１が圧縮機本体３４０の吸気口３４１を開くことで，レシーバタンク３６０内の圧力が圧力調整弁３１３の作動圧力によって設定された定格圧力に近付くよう圧縮機本体３４０に対する吸気調整が行われる。
【０００９】
以上のように構成されたエンジン駆動型圧縮機３００において，圧縮機本体３４０の駆動源であるエンジン３５０は，低回転域でのトルクが小さく，始動時に負荷がかかると停止(ストール)し易い。
【００１０】
その一方で，エンジン駆動型圧縮機３００では，エンジン３５０に対する負荷である圧縮機本体３４０がエンジン３５０に直結されており，エンジン３５０は，始動開始時より圧縮機本体３４０の回転に伴う負荷を受けることから，エンジン３５０の始動時，圧縮機本体３４０から受ける負荷を低減することができれば，エンジン３５０を円滑に始動させることができる。
【００１１】
このようなエンジン駆動型圧縮機３００の構成に着目し，始動時にエンジン３５０にかかる負荷を軽減するために，後掲の特許文献１には，図７中に符号３２０で示した始動負荷軽減装置が開示されている。
【００１２】
この始動負荷軽減装置３２０は，圧力調整弁３１３の一次側と二次側を連通して圧力調整弁３１３をバイパスするバイパス流路３２１と，このバイパス流路３２１を開閉する始動アンローダバルブ３２５によって構成されており（特許文献１［0008］欄，図５参照），始動時，始動アンローダバルブ３２５の操作によってバイパス流路３２１を開くことで，圧力調整弁３１３の作動圧力に基づいて行われる吸気調整をキャンセルし，アンローダレギュレータ３１６を，圧力調整弁３１３を介さずに直接，レシーバタンク３６０に連通することができるように構成されている。
【００１３】
その結果，エンジン３５０の始動により圧縮機本体３４０が回転を開始することによってレシーバタンク３６０内の圧力が上昇すると，アンローダレギュレータ３１６が作動して吸気調整弁３１１を閉じて圧縮機本体３４０が無負荷運転に移行することで，始動開始時のエンジン３５０にかかる負荷を軽減することができるように構成されている。
【００１４】
そして，エンジン３５０の運転状態が安定した後に，始動負荷軽減装置３２０に設けた始動アンローダバルブ３２５を操作してバイパス流路３２１を閉じ，圧力調整弁３１３がレシーバタンク３６０内の圧力に応じて制御流路３１２を開閉する通常運転に復帰することで，既知の吸気調整を行うことができるように構成されている。
【先行技術文献】
【特許文献】
【００１５】
【特許文献１】特開２００２−１６８１７７号公報
【発明の概要】
【発明が解決しようとする課題】
【００１６】
前掲の特許文献１として紹介した始動負荷軽減装置３２０では，始動時に圧力調整弁３１３をバイパスしてレシーバタンク３６０とアンローダレギュレータ３１６を直接連通することで，エンジン３５０の始動により圧縮機本体３４０が回転を開始してレシーバタンク３６０内の圧力がアンローダレギュレータ３１６の作動圧力まで上昇すれば，圧力調整弁３１３の作動圧力より低い圧力であっても吸気調整弁３１１が閉じて無負荷運転に移行することから，圧力調整弁３１３の作動圧力に対し，アンローダレギュレータ３１６の作動圧力を充分に低く設定しておくことで，始動時のエンジン３５０に対して加わる負荷を大幅に低減することができる。
【００１７】
しかし，上記構成の始動負荷軽減装置３２０では，エンジン３５０の始動後，レシーバタンク３６０内の圧力がアンローダレギュレータ３１６の作動圧力に達する迄の間，圧縮機本体３４０は吸気口３４１を全開とした全負荷運転を行うこととなるため，最も不安定な運転状態にある，始動直後のエンジン３５０に対する負荷を充分に軽減することができない。
【００１８】
特に，近年の排ガス規制に対応するために，電子制御化と，吸気冷却器付ターボ（インタークーラ付ターボ）エンジン等の過給式エンジンの採用によって単位排気量あたりのトルク・出力を向上させて，同一の最大出力を発生する自然吸気エンジンに比較して小排気量化を図る，所謂「ダウンサイジング」を行ったエンジンを搭載したエンジン駆動型圧縮機にあっては，エンジンの起動から無負荷運転の回転速度まで立ち上がる始動時における低回転域では，過給の効果が得られず，同一の最大出力を発生する自然吸気エンジンに比較して始動時のトルクや出力が小さいことから，始動負荷の更なる軽減の達成は，過給式のエンジンを搭載したエンジン駆動型圧縮機を円滑に始動させる上で不可欠となる。
【００１９】
また，エンジンの始動に成功して所定の回転速度に達したとしても，エンジンが冷えた状態では十分な出力が出ないため，この状態で始動アンローダバルブ３２５を操作して始動負荷軽減装置３２０による制御を終了して吸気調整装置３１０による既知の吸気調整を開始すると，圧縮機本体３４０の吸気口３４１を全開した全負荷運転に移行するため，エンジン３５０には急激な負荷が加わる。
【００２０】
このような急激な負荷が加わることによるエンジンストールを防止する方法としては，エンジン３５０の回転速度が所定の回転速度に達した後においても，始動負荷軽減装置３２０によって負荷が軽減された状態を維持してエンジンの暖機運転を行うことが有効である。
【００２１】
しかし，前掲の特許文献１として紹介した従来の始動負荷軽減装置３２０では，手動式の始動アンローダバルブ３２５をオペレータが切替操作する構成であるとこから，オペレータが適切な切替タイミングを掴めずに早期に切替を実行してしまうと，充分な暖機がされていないまま通常運転に移行することでエンジンをストールさせてしまうおそれがあり，また，逆に，ストールをおそれるあまり切替が遅れると，充分な暖機運転が行われた後も負荷軽減状態での運転が必要以上に継続されることで燃料が浪費されることとなるため，オペレータの技能如何によっては，始動負荷軽減装置の機能を充分に引き出すことができない。
【００２２】
そこで本発明は，上記従来技術における欠点を解消するために成されたもので，エンジン駆動型圧縮機の始動時に，エンジン及び圧縮機本体の回転開始後，より短時間で，好適には始動時にスタータモータによってエンジンを回転させている間に，吸気調整弁を全閉とできるようにすることで，スタータモータが切り離されて自立運転を開始した，始動直後のエンジンにかかる負荷の大幅な軽減を図ることで，自然吸気型エンジンが搭載されている場合はもとより，過給式の採用によってダウンサイジングされたエンジンが搭載されている場合であっても，始動時におけるエンジンストールの発生を確実に防止することができるエンジン駆動型圧縮機の始動制御方法，及びエンジン駆動型作業機を提供することを目的とする。
【００２３】
また，本発明の更なる目的は，前記目的に加え，始動負荷軽減モードでの運転の解除を，オペレータの勘や経験によらずに適切なタイミングで行うことができるようにすることで，暖機不足によるエンジンストールの発生や，不必要に長い負荷軽減状態での運転継続に伴う燃料の浪費を防止することのできるエンジン駆動型圧縮機の始動制御方法及びエンジン駆動型圧縮機を提供することを目的とする。
【課題を解決するための手段】
【００２４】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の技術的範囲の解釈に制限的に用いられるものではない。
【００２５】
上記目的を達成するために，本発明のエンジン駆動型圧縮機１の始動制御方法は，
エンジン５０，前記エンジン５０によって駆動される圧縮機本体４０，及び前記圧縮機本体４０に対する吸気を制御する吸気調整装置１０を備え，前記吸気調整装置１０が，前記圧縮機本体４０の吸気口４１を開閉する吸気調整弁１１と，前記吸気調整弁１１の閉弁受圧室１１３と前記圧縮機本体４０の吐出側（図示の実施形態においてレシーバタンク６０）間を連通する制御流路１２と，前記圧縮機本体４０の吐出側圧力が所定の定格圧力（Ｐ４）以上のときに前記制御流路１２を開き，前記定格圧力（Ｐ４）未満のとき前記制御流路１２を閉じる圧力調整弁１３を備えたエンジン駆動型圧縮機１において，
前記吸気調整弁１１に気密室（図示の例ではシリンダ）１１２を設け，該気密室１１２内を弁体１１６の動作を制御する受圧体（図示の例ではピストン）１１９によって仕切ることで，一方を前記閉弁受圧室１１３と成すと共に，他方を補助受圧室（図示の例ではスプリング室）１１４とし，前記閉弁受圧室１１３内の圧縮気体を逃がす逃がし流路１４と，前記補助受圧室１１４内への外気の導入及び排出を可能とする吸排気流路２２を設け，
前記逃がし流路１４と前記吸排気流路２２を閉じ，かつ，前記閉弁受圧室１１３と前記圧縮機本体の吐出側（図示の例ではレシーバタンク６０）とを連通すると共に，前記補助受圧室１１４を前記吸気調整弁１１の二次側に連通した状態でエンジン５０を始動させる，始動負荷軽減モードでの始動を行い，
前記エンジン５０の始動が判定され，かつ，前記エンジン５０が所定の安定運転状態になったと判定されるまで，前記始動負荷軽減モードでの運転を維持すると共に，その後，前記吸気調整装置１０による吸気調整を行う通常運転モードに移行することを特徴とする（請求項１）。
【００２６】
なお，本発明における吸気調整弁１１は，図１及び図２に示した吸気調整弁１１のように，前記気密室１１２，閉弁受圧室１１３及び補助受圧室１１４が弁体１１６や弁座１１５ａと共に共通の弁箱１１１内に形成されている場合の他，図７に従来技術として示した構成のように，弁体や弁座を備えた吸気調整弁（吸気調整弁の本体）３１１と，この吸気調整弁３１１を開閉動作するアンローダレギュレータ３１６を別個に設けた構成とすることもでき，この場合，アンローダレギュレータ３１６のシリンダが前述の気密室１１２，このシリンダ（気密室）内に，ピストンやダイヤフラム等の受圧体を介して仕切られた室が，前述の閉弁受圧室１１３及び補助受圧室１１４となる。
【００２７】
前述の始動制御方法において，前記エンジン５０が前記安定運転状態になったと判定された後，前記逃がし流路１４と前記吸排気流路２２を開き，かつ，前記補助受圧室１１４と前記吸気調整弁１１の二次側との連通を遮断すると共に，前記始動負荷軽減モードでの始動の際に行った前記閉弁受圧室１１３と前記圧縮機本体の吐出側（レシーバタンク６０）との連通を遮断して，前記通常運転モードに移行することができる（請求項２）。
【００２８】
更に，前記エンジン５０の運転状態が所定の始動判定条件を満たしたときに，前記エンジンの始動を判定し，
前記エンジン５０の始動判定後，第一の所定時間が経過し，かつ，前記エンジンの冷却水温度が所定の暖機完了温度（Ｔ１）を超えるか，又は，前記第一の所定時間の経過から更に第二の所定時間が経過するかの，いずれかの条件が満たされたとき，前記エンジン５０が前記安定運転状態となったことを判定するものとしても良い（請求項３）。
【００２９】
前述の通常運転への移行は，エンジン５０が安定運転状態であることの判定がされた後，直ちに行うものとしても良いが，
前記安定運転状態となったことの判定により，先ず，前記吸排気流路２２を開くと共に，前記補助受圧室１１４と前記吸気調整弁１１の二次側との連通を遮断する通常運転移行準備を行い，
前記安定運転状態となったことの判定より更に第三の所定時間が経過したとき，前記逃がし流路１４を開くと共に，前記始動負荷軽減モードでの始動の際に行った前記閉弁受圧室１１３と前記圧縮機本体の吐出側（レシーバタンク６０）との連通を遮断して，前記通常運転モードに移行することが好ましい（請求項４）。
【００３０】
更に，前記通常運転モードによる運転時，前記圧縮機本体４０の吐出側圧力に応じて無負荷回転速度（Ｎ２）と定格回転速度（Ｎ４）間で前記エンジンの回転速度を制御する速度制御を行うと共に，
前記通常運転モードへの移行前，前記通常運転モードにおける前記無負荷回転速度（Ｎ２）よりも高い回転速度である始動回転速度（Ｎ３）での定速運転となるよう前記エンジンの回転速度を制御することもできる（請求項５）。
【００３１】
なお，前記エンジンの始動判定は，前記エンジン５０の回転速度が所定の始動判定回転速度（Ｎ１）を超えたとき，前記エンジン５０に設けた発電装置（図示せず）の発電電圧又は電流が所定の始動判定値を超えたとき，又は，前記エンジン５０の油圧が所定の始動判定圧力を超えたときのいずれかの条件を満たしたときに行うものとすることができる（請求項６）。
【００３２】
また，前記始動制御方法を実行する，本発明のエンジン駆動型圧縮機１は，
エンジン５０，前記エンジン５０によって駆動される圧縮機本体４０，及び前記圧縮機本体４０に対する吸気を制御する吸気調整装置１０を備え，前記吸気調整装置１０が，前記圧縮機本体４０の吸気口４１を開閉する吸気調整弁１１と，前記吸気調整弁１１の閉弁受圧室１１３と前記圧縮機本体４０の吐出側（図示の例ではレシーバタンク６０）間を連通する制御流路１２と，前記圧縮機本体４０の前記吐出側圧力が所定の定格圧力（Ｐ４）以上のときに前記制御流路１２を開き，前記定格圧力（Ｐ４）未満のとき前記制御流路１２を閉じる圧力調整弁１３を備えたエンジン駆動型圧縮機１において，
前記吸気調整弁１１に気密室（図示の例ではシリンダ）１１２を設け，該気密室１１２内を，弁体１１６の動作を制御する受圧体（図示の例ではピストン）１１９によって仕切ることで，一方を前記閉弁受圧室１１３と成すと共に，他方を補助受圧室（図示の例ではスプリング室）１１４とし，前記閉弁受圧室１１３内の圧縮気体を逃がす逃がし流路１４，前記補助受圧室１１４内への外気の導入及び排出を可能とする吸排気流路２２，前記吸気調整弁１１の前記閉弁受圧室１１３を前記圧縮機本体の吐出側（レシーバタンク６０）
と連通させる強制閉弁流路２１，及び，前記補助受圧室１１４を前記吸気調整弁１１の二次側に連通する吸引流路２３をそれぞれ設けると共に，前記各流路（１４，２１，２２，２３）を開閉する電磁弁（図１の例ではＳＶ１〜ＳＶ３，図２の例ではＳＶ３，ＳＶ４）を設け，
前記エンジン駆動型圧縮機１の各部の動作を制御するコントローラ３０によって，前記エンジンの運転状態を判定するエンジン運転状態判定手段３１と，前記エンジン運転状態判定手段３１の判定結果に従い，運転モードを切り替える運転モード切替手段３２を実現し，
前記運転モード切替手段３２に，前記電磁弁の開閉動作を制御する電磁弁制御手段３４を設けると共に，
前記電磁弁制御手段３４が，
前記エンジン運転状態判定手段３１が，前記エンジン５０が始動待機状態にあると判定したとき，前記逃がし流路１４と前記吸排気流路２２を閉じ，前記強制閉弁流路２１と前記吸引流路２３を開く制御信号を前記各電磁弁に出力した始動負荷軽減モードで前記エンジン５０の始動を待機し，
前記エンジン運転状態判定手段３１が，前記エンジン５０が始動したことを判定し，かつ，前記エンジンが所定の安定運転状態になったと判定する迄，前記始動負荷軽減モードを維持すると共に，その後，前記吸気調整装置１０による吸気調整を行う通常運転モードに移行する（請求項７）。
【００３３】
なお，本発明において電磁弁制御手段３４が出力する前述の制御信号には，信号の出力停止（無信号）を含む。
【００３４】
上記構成のエンジン駆動型圧縮機１において，前記電磁弁制御手段３４は，前記エンジン運転状態判定手段３１が前記安定運転状態になったことを判定した後，前記逃がし流路１４と前記吸排気流路２２の開放と，前記強制閉弁流路２１と前記吸引流路２３の閉塞を行う制御信号を前記各電磁弁に出力することにより，前記通常運転モードへの切り替えを行うように構成することができる(請求項８）。
【００３５】
また，前記エンジン運転状態判定手段３１は，前記エンジン５０の運転状態が所定の始動判定条件を満たしたときに，前記エンジン５０の始動を判定すると共に，前記エンジン５０の始動判定後，第一の所定時間が経過し，かつ，前記エンジン５０の冷却水温度が所定の暖機完了温度（Ｔ１）を超えるか，又は，前記第一の所定時間の経過から更に第二の所定時間が経過するかの，いずれかの条件が満たされたとき，前記エンジン５０が前記安定運転状態となったことを判定するものとすることができる(請求項９）。
【００３６】
また，前記電磁弁制御手段３４は，
前記エンジン運転状態判定手段３１が，前記エンジン５０が前記安定運転状態になったことを判定したとき，前記吸排気流路２２を開くと共に，前記吸引流路２３を閉じる制御信号を出力する，通常運転移行準備を実行すると共に，
前記安定運転状態の判定後，更に第三の所定時間が経過したとき，前記逃がし流路１４を開くと共に，前記強制閉弁流路２１を閉じる制御信号を出力して，前記通常運転モードへ移行するものとすることが好ましい(請求項１０)。
【００３７】
更に，前記運転モード切替手段３２には，エンジン５０〔エンジン５０のエンジンコントロールユニット（ＥＣＵ）５１〕に対し回転速度を指令する速度指令を出力するエンジン速度指令手段３５を設けることができ，
前記エンジン速度指令手段３５が，
前記通常運転モードによる運転時，前記圧縮機本体４０の吐出側圧力（レシーバタンク６０内の圧力）に応じて無負荷回転速度（Ｎ２）と定格回転速度（Ｎ４）間で前記エンジン５０の回転速度を制御する速度指令を出力すると共に，
前記通常運転モードへの移行前，前記エンジン５０の回転速度を，前記通常運転モードにおける前記無負荷回転速度（Ｎ２）よりも高い回転速度である始動回転速度（Ｎ３）による定速運転とする速度指令を出力するよう構成することができる（請求項１１）。
【００３８】
更に，前記エンジン運転状態判定手段３１が，前記エンジン５０の始動判定を，前記エンジン５０の回転速度が所定の始動判定回転速度（Ｎ１）を超えたとき，前記エンジン５０に設けた発電装置（図示せず）の発電電圧又は電流が所定の始動判定値を超えたとき，又は，前記エンジン５０の油圧が所定の始動判定圧力を超えたときのいずれかの条件を満たしたときに行うものとすることができる（請求項１２）。
【発明の効果】
【００３９】
以上で説明した本発明の構成により，本発明の始動制御方法を実行することにより，本発明のエンジン駆動型圧縮機１では，以下の顕著な効果を得ることができた。
【００４０】
本発明のエンジン駆動型圧縮機１の構成にあっては，エンジン５０の始動時，吸気調整弁１１の閉弁受圧室１１３に設けた逃がし流路１４を閉じると共に，受圧体（図示の例ではピストン）１１９を介して閉弁受圧室１１３の反対側に形成された補助受圧室（スプリング室）１１４の吸排気流路２２を閉じ，且つ，この補助受圧室１１４を吸引流路２３によって吸気調整弁１１の二次側に連通し，吸気調整弁１１の閉弁受圧室１１３と圧縮機本体の吐出側（レシーバタンク６０）とを強制閉弁流路２１で連通する構成を採用したことで，図７を参照して説明した従来技術の始動負荷軽減装置３２０を使用して始動を行う場合に比較して，エンジン５０の始動動作（圧縮機本体４０の回転動作）の開始後，より短時間で圧縮機本体４０の吸気口４１を閉じることができ，これによりエンジン５０の始動直後の負荷を大幅に軽減することができた。
【００４１】
すなわち，前掲の特許文献１に記載の構成では，始動時においても逃がし流路３１４が開放された状態にあるため，圧縮機本体３４０の回転によってレシーバタンク３６０内の圧力が上昇しても，上昇した圧力の一部は吸気調整弁３１１の閉弁動作に使用されずに放気されていた。
【００４２】
また，特許文献１に記載の構成では，アンローダレギュレータ３１６に設けられているピストンやダイヤフラム等の受圧体（図示せず）を，負圧によって閉弁方向に移動させる一切の構成を備えていない。
【００４３】
これに対し，上記本願の構成では，強制閉弁流路２１によって閉弁受圧室１１３を，逃がし流路１４を閉じた状態で圧縮機本体の二次側（レシーバタンク６０）に連通することで，圧縮機本体の吐出側圧力と閉弁受圧室１１３内の圧力が同圧となることで圧縮機本体の吐出側で生じた僅かな圧力上昇であってもダイレクトに受圧体１１９に伝えることができるようになっている。
【００４４】
しかも，補助受圧室１１４を吸気調整弁１１の二次側において吸入流路１１５と連通したことで，圧縮機本体４０が回転を開始して吸入流路１１５内が負圧となると，補助受圧室１１４内も負圧となることで，受圧体１１９を閉弁方向へ移動させる力を発揮する。
【００４５】
その結果，本願の構成では，同性能の吸気調整弁１１を使用した場合であっても，特許文献１に記載の構成を採用する場合に比較して，圧縮機本体４０の二次側圧力（レシーバタンク６０内の圧力）が低い状態で吸気調整弁１１を全閉とした無負荷運転状態に移行することができ，これにより，起動から回転立上がり時の始動トルクが小さく最も不安定な状態にある始動直後のエンジン５０にかかる負荷を低減することができ，スムーズにエンジン５０を立ち上げることで，エンジンストールを防止することができた。
【００４６】
エンジン運転状態判定手段３１が，エンジン５０の始動判定後，所定の第一設定時間を経過し，かつ冷却水温が予め設定した温度（Ｔ１）を超えるか，または第二設定時間経過するかの，いずれかの条件が満たされたときに，エンジン５０が安定運転状態にあると判定すると共に，該安定運転状態であることの判定がされた後に，始動負荷軽減モードから通常運転モードに移行（自動移行）する構成を採用したことで，エンジン５０の回転速度や出力が不安定な状態（暖機運転未完）で始動負荷軽減モードを終了して通常運転モードに移行することがなく，エンジンストールの発生をより確実に防止することができた。
【００４７】
特に，上記構成では，夏季等の暖かい時期における始動や，エンジン５０の停止後の再始動のように，既にエンジン５０が暖まった状態で始動する場合，前記第一設定時間が経過した後，第二設定時間が経過する前に，水温が設定温度（Ｔ１）に達すると安定運転状態であることが判定されて通常運転モードへの移行が可能となることで，常に第二設定時間が経過するまで運転を継続する場合に比較して始動負荷軽減モードでの運転時間を短縮でき，始動負荷軽減モードでの運転による燃料の消費量を減少させることができた。
【００４８】
なお，油冷式の圧縮機本体を搭載したエンジン駆動型圧縮機では，レシーバタンク６０内に回収された潤滑油をレシーバタンク６０内の圧力によって圧送することで圧縮機本体４０に再度給油する構成を採用するが，本発明の構成では前述したように，従来の構造（図７参照）に比較して，圧縮機本体４０の吐出側圧力（レシーバタンク６０内の圧力）が低い状態で吸気調整弁１１を全閉とした始動負荷軽減モード運転が行われる。
【００４９】
そのため，寒冷時等，潤滑油の粘性が増大して，流動性が低下している場合，この状態から通常運転に移行して全負荷運転が開始されると，全負荷運転への移行初期において圧縮機本体４０に対する給油が不足するおそれがある。
【００５０】
しかし，始動負荷軽減モード後の，通常運転への移行を，通常運転移行準備を行った後に行う，２段階の構成とした例では，補助受圧室１１４に連通する吸引流路２３を閉じると共に吸排気流路２２を開くことで受圧体１１９に作用していた負圧が消失することにより，吸気調整弁１１が一時的に僅かに開き，圧縮機本体４０が吸気，圧縮を開始することで吐出側圧力（レシーバタンク６０内の圧力）が始動負荷軽減モード時の圧力（Ｐ１）よりも高い圧力（Ｐ２）に上昇すると共に，この圧縮に伴い吐出空気温度も上昇して潤滑油が温められることで，油冷式の圧縮機本体４０を搭載したエンジン駆動型圧縮機１を，寒冷時等に使用する場合であっても，圧縮機本体４０に対する給油不足や，給油不足に伴う吐出空気温度の異常上昇により当該圧縮機が非常停止することを防止することができた。
【００５１】
また，通常運転移行準備時に吸気調整弁１１が僅かに開いて負荷が増大し，その後，通常運転モードへの移行時に吸気調整弁１１が全開となることで，圧縮機本体４０の負荷についても段階的に増加させることができ，無負荷運転の状態から急激に全負荷運転に移行する場合に比較してエンジンストールを生じ難くすることができると共に，通常運転移行準備時に，圧縮機本体４０の吐出側圧力（レシーバタンク６０内の圧力）が，既に，始動負荷軽減モード時の圧力（Ｐ１）よりも高い圧力（Ｐ２）に上昇していることで，定格圧力（Ｐ４）まで昇圧させる時間を短縮することができた。
【００５２】
始動負荷軽減モード時のエンジン５０の回転速度である始動回転速度（Ｎ３）を，通常運転モードでの運転時における無負荷回転速度（Ｎ２）に対し高回転に設定することで，エンジン５０の始動から立上がり時における始動トルクが大きくなり，始動性を向上させることができた。
【００５３】
また，始動回転速度（Ｎ３）を通常運転モード時における無負荷回転速度（Ｎ２）よりも高回転に設定したことで，冷却水温の上昇が早くなり，冷却水温を安定運転状態であることの判定基準とする場合，冷却水温が判定基準となる所定温度（Ｔ１）を超える迄の時間が短くなり，始動負荷軽減モードでの暖機運転を早期に終了して通常運転モードに移行して，被圧縮気体の圧縮を開始することができた。
【００５４】
さらに，始動回転速度（Ｎ３）を，通常運転モード時の無負荷回転速度（Ｎ２）よりも高く設定することは，低回転域のトルクや出力が小さく，始動時にストールし易いターボ過給器を備えたエンジンを搭載したエンジン駆動型圧縮機を始動する場合であっても，始動時における過給圧，従ってエンジン５０の出力を高めることができ，エンジンストールを生じ難くすることができ，しかも，通常運転に移行した際，無負荷回転速度（Ｎ２）から定格回転速度（Ｎ４）に回転速度を上昇させる場合に比較して，前記無負荷回転速度（Ｎ２）よりも高速である始動回転速度（Ｎ３）から定格回転速度（Ｎ４）に回転速度を上昇させる場合の方が，より短時間で定格回転速度（Ｎ４）に到達するため，圧縮機本体の吐出側圧力（レシーバタンク６０内の圧力）を短時間で，特に，前述したように，圧縮機本体の吐出側圧力（レシーバタンク６０内の圧力）が始動負荷軽減モード時の圧力（Ｐ１）よりも高い圧力（Ｐ２）に上昇している場合には更に短時間で，定格圧力（Ｐ４）まで昇圧させることが可能となる。
【図面の簡単な説明】
【００５５】
【図１】本発明のエンジン駆動型圧縮機の説明図。
【図２】本発明のエンジン駆動型圧縮機の変形例を示す説明図。
【図３】コントローラの機能ブロック図。
【図４】各部の動作タイミングを示すタイムチャート。
【図５】各部の動作タイミングを示すタイムチャート（通常運転移行準備を行う場合）。
【図６】吸気調整弁（変形例）の断面図。
【図７】従来のエンジン駆動型圧縮機の説明図。
【発明を実施するための形態】
【００５６】
以下に，本発明の始動制御方法を実行する，本発明のエンジン駆動型圧縮機の構成例を，添付図面を参照しながら説明する。
【００５７】
〔エンジン駆動型圧縮機の全体構成〕
図１中の符号１は本発明のエンジン駆動型圧縮機であり，このエンジン駆動型圧縮機１は，圧縮機本体４０，前記圧縮機本体４０を駆動するエンジン５０，前記圧縮機本体４０より吐出された圧縮気体を貯留するレシーバタンク６０を備え，圧縮機本体４０より吐出された圧縮気体を，レシーバタンク６０内に貯留した後，逆止弁６１を介して図示せざる空気作業機等が接続された消費側に対して供給することができるように構成されている。
【００５８】
本実施形態において，前述の圧縮機本体４０は潤滑，冷却及び密封のための潤滑油と共に被圧縮気体を圧縮する油冷式のスクリュ圧縮機であり，レシーバタンク６０内には，吐出流路６２を介して潤滑油との気液混合流体として吐出された圧縮気体が導入され，このレシーバタンク６０内で潤滑油を分離することができるように構成されていると共に，レシーバタンク６０内に回収された潤滑油を，オイルクーラ６３を介して圧縮機本体４０に再度供給する，給油流路６４を備えている。
【００５９】
もっとも，本発明で対象とするエンジン駆動型圧縮機１に搭載する圧縮機本体４０は，このような油冷式のものに限定されず，被圧縮気体の圧縮に潤滑油を必要としない，オイルフリー式の圧縮機本体を搭載するものとしても良く，この場合，前述のレシーバタンク６０や，レシーバタンク６０内に回収された潤滑油を圧縮機本体４０に供給するための給油流路６４等は省略することができる。
【００６０】
〔吸気調整装置〕
以上のように構成されたエンジン駆動型圧縮機１には，圧縮機本体４０の二次側圧力，本実施形態にあってはレシーバタンク６０内の圧力が所定の定格圧力（Ｐ４）に近付くよう，レシーバタンク６０内の圧力が所定の定格圧力（Ｐ４）以上になると圧縮機本体４０の吸気口４１を絞り又は閉じ，定格圧力（Ｐ４）未満になると全開にする吸気調整を行う吸気調整装置１０を備えている点では，図７を参照して説明した従来のエンジン駆動型圧縮機の構成と同様である。
【００６１】
また，この吸気調整装置１０が，圧縮機本体４０の吸気口４１を開閉制御する，図示の例では常時開（ノーマリオープン）型の吸気調整弁１１と，この吸気調整弁１１の閉弁受圧室１１３と圧縮機本体の吐出側（レシーバタンク６０）間を連通する制御流路１２，レシーバタンク６０内の圧力に応じて，レシーバタンク６０内の圧力が所定の定格圧力（Ｐ４）以上であるとき前記制御流路１２を開くと共に，定格圧力（Ｐ４）未満であるとき前記制御流路１２を閉じる圧力調整弁１３によって構成されている点，及び，前記閉弁受圧室１１３内の圧縮気体を絞り１５を介して放出する逃がし流路１４を備えている点でも，図７を参照して説明したエンジン駆動型圧縮機の構成と同様であるが，本発明のエンジン駆動型圧縮機１では，本発明の始動制御を可能とするため，各部を下記のように構成している。
【００６２】
〔吸気調整弁〕
圧縮機本体４０の吸気口４１を開閉する前述の吸気調整弁１１は，そのボディ（弁箱）１１１内に形成された空間によって被圧縮気体が通過する吸入流路１１５が形成されていると共に，この吸入流路１１５内に設けた弁座１１５ａに，弁体１１６を着座させることで，吸入流路１１５を閉塞することができるように構成されている。
【００６３】
この弁体１１６は，円盤状の弁体１１６に弁軸１１６ａが取り付けられた，所謂「傘型弁」であり，ボディ１１１内に形成された円筒状のスリーブ１１７内に弁軸１１６ａを挿入した状態で，このスリーブ１１７の軸線方向に弁体１１６を進退移動させることで，弁体１１６を弁座１１５ａに着座させた閉弁位置と，弁座１１５ａから弁体１１６が離間した開弁位置間を移動できるように構成されている。
【００６４】
このような弁体１１６の移動を可能とするために，吸気調整弁１１の弁箱１１１には，前述のスリーブ１１７を介して吸入流路と連通するシリンダ１１２が前記スリーブ１１７と同軸に形成されている。
【００６５】
このシリンダ１１２は，スリーブ１１７に弁軸１１６ａが挿入された状態で，且つ，前記スリーブ１１７の形成側とは反対側の端部を端板１１８で塞ぐことにより気密室を成し，この気密室（シリンダ）１１２内を，弁軸１１６ａの他端に連結された受圧体１１９，本実施形態ではピストンを介して二室に分割することにより，前記端板１１８側に吸気調整弁１１の閉弁受圧室１１３が形成されていると共に，ピストン１１９を介して前記閉弁受圧室１１３とは反対側に，補助受圧室１１４が形成されている。
【００６６】
図示の構成では，吸気調整弁１１を常時開（ノーマリオープン）型とするために，前述した補助受圧室１１４内にピストン１１９を閉弁受圧室１１３側に押圧するスプリング１１４ａを収容して，補助受圧室１１４にスプリング室としての機能を持たせているが，吸気調整弁１１を常時開型とすることができるものであれば，スプリング１１４ａは必ずしも補助受圧室１１４に設ける必要はない。
【００６７】
なお，図示の構成では，弁体１１６や弁座１１５ａのみならず，弁体１１６を進退移動させるためのシリンダ１１２やピストン１１９等をいずれもボディ（弁箱）１１１に設けた構成を示したが，図７を参照して従来技術として説明したエンジン駆動型圧縮機のように，弁体の駆動機構を備えない吸気調整弁本体と，この吸気調整弁本体の弁体を駆動するアンローダレギュレータ等の駆動機構をそれぞれ別体とした構成を採用するものとしても良く，この場合，前述した閉弁受圧室１１３や補助受圧室１１４，受圧体１１９は，アンローダレギュレータ内に形成される。
【００６８】
また，図１及び図２に示した例では，受圧体（ピストン）１１９を，弁体１１６の弁軸１１６ａに直接取り付けた構成を示したが，図６に示すように，図１及び図２の構成における弁軸１１６ａを長手方向の中間位置で分割して，弁体１１６に連結された弁軸１１６ａ’と，受圧体（ピストン）１１９に連結されたピストンロッド１１９ａを別個に設け，弁体閉鎖用スプリング１１６ｂによって，圧縮機本体４０の回転によって生じた吸入流路１１５内の負圧によって弁体１１６が弁座１１５ａから離間し得る程度の弱い力で，弁体１１６を弁座１１５ａ側に付勢した吸気調整弁１１を使用するものとしても良い。
【００６９】
この構成では，圧縮機本体４０が停止した状態では，弁体１１６は弁座１１５ａと接触した状態にあるが，圧縮機本体４０の作動時，スプリング１１４ａの付勢力によって受圧体（ピストン）１１９が紙面左側に移動している状態では圧縮機本体４０に対する吸気が可能な状態（開弁状態）となり，閉弁受圧室１１３に対する圧縮気体の導入によって受圧体（ピストン）１１９が紙面右側に移動すると，ピストンロッド１１９ａが弁軸１１６ａ’に突合して弁体１１６を弁座１１５ａに押圧して開かないようにすることで閉弁できるようになっている。
【００７０】
更に，弁体１１６の駆動機構として，図示の例では，気密室であるシリンダ１１２内を，閉弁受圧室１１３に導入された圧縮気体の圧力を受けて移動するピストン１１９を受圧体として設けることによって仕切る構成を採用したが，受圧体１１９は前述のピストンに限定されず，閉弁受圧室１１３内に導入された圧縮気体によって弁体１１６の動作を制御し得るものであれば，例えばダイヤフラム等を受圧体１１９としても良い。
【００７１】
〔閉弁受圧室側の流路〕
（１）閉弁受圧室側流路の種類
吸気調整弁１１に設けられた閉弁受圧室１１３には，前述の吸気調整装置１０を構成する前述の制御流路１２や，前述の逃がし流路１４が連通されている他，前記制御流路１２をバイパスして閉弁受圧室１１３を圧縮機本体の吐出側（レシーバタンク６０）に連通する強制閉弁流路２１が連通されている。
【００７２】
（２）制御流路
このうちの制御流路１２は，前述した吸気調整装置１０を構成するもので，圧縮機本体４０の吐出側（レシーバタンク６０）と吸気調整弁１１の閉弁受圧室１１３間を連通する流路であり，該制御流路１２中に設けられた圧力調整弁１３によって圧縮機本体４０の吐出側圧力（レシーバタンク６０内の圧力）が定格圧力（Ｐ４）以上になると制御流路１２を開き，定格圧力（Ｐ４）未満のとき制御流路１２を閉じて，吸気調整弁１１の閉弁受圧室１１３に対する作動圧力の導入を制御する。
【００７３】
図示の例では，この圧力調整弁１３として，圧力調整弁１３の一次側圧力によって弁体を弁座より離間させる機械制御式の構造のものを示したが，圧力調整弁は，例えばこれを電空レギュレータ等の電気制御式の弁によって構成し，レシーバタンク６０内の圧力を検出した圧力センサからの検出信号を受信した後述のコントローラ３０からの制御信号によって，レシーバタンク６０内の圧力に応じた開度で制御流路１２を開閉するように構成するものとしても良い。
【００７４】
（３）逃がし流路
また，前述した逃がし流路１４は，吸気調整弁１１の閉弁受圧室１１３内の圧縮気体を放気するための流路であり，この逃がし流路１４によって閉弁受圧室１１３内の圧縮気体を放気する。
【００７５】
本発明の構成では，この逃がし流路１４に電磁弁ＳＶ２を設けて逃がし流路１４を開閉できるようにすることで，通常運転モードでの運転時には閉弁受圧室１１３内の圧縮気体を放気するが，始動負荷軽減モード時には逃がし流路１４を閉じることができるように構成している。
【００７６】
図示の構成では，この逃がし流路１４に絞り１５を設け放気量を調整しているが，逃がし流路１４の管径を調整して放気量を調整する場合，絞り１５は必ずしも設けなくても良い。
【００７７】
（４）強制閉弁流路
更に，前述の強制閉弁流路２１は，始動負荷軽減モード時，レシーバタンク６０内の圧力如何に拘わらず，吸気調整弁１１の閉弁受圧室１１３を圧縮機本体４０の吐出側（本実施形態ではレシーバタンク６０）に連通する流路であり，図示の例では，前述した制御流路１２とは別にレシーバタンク６０と閉弁受圧室１１３間を連通する強制閉弁流路２１を設けると共に，強制閉弁流路２１を開閉する電磁弁ＳＶ１を設ける構成を採用している。
【００７８】
もっとも，この強制閉弁流路２１は，レシーバタンク６０内の圧力に拘わらず吸気調整弁１１の閉弁受圧室１１３とレシーバタンク６０を連通することできるものであれば，前述した制御流路１２と一部又は全部を共用する流路として形成するものとしても良い。
【００７９】
制御流路１２と一部を共用する構成例としては，圧力調整弁１３の一次側と二次側をバイパスするバイパス流路を設け，このバイパス流路に電磁弁ＳＶ１を設けることで，始動負荷軽減モード時に電磁弁ＳＶ１を開くことで，レシーバタンク６０と吸気調整弁１１の閉弁受圧室１１３間を連通する強制閉弁流路が形成されるようにしても良い。
【００８０】
また，制御流路１２に設けた圧力調整弁１３を前述したように電空レギュレータによって構成した例では，通常運転モードでの運転時には，後述するコントローラ３０がレシーバタンク６０内の圧力に応じて電空レギュレータの開閉を制御するが，始動負荷軽減モード時には，レシーバタンク６０内の圧力に応じた制御をキャンセルして，電空レギュレータを開くようにすることで，制御流路１２及び圧力調整弁１３に，強制閉弁流路２１と電磁弁ＳＶ１の機能を併せ持たせる構成としても良い。
【００８１】
更に，この強制閉弁流路２１は，例えば図２に示すように，前述した逃がし流路１４とその一部を共用する流路として形成することも可能であり，一例として，三方電磁弁ＳＶ４のコモンポートｄを閉弁受圧室１１３に連通し，三方電磁弁ＳＶ４の他のポートｅをレシーバタンク６０に連通すると共に，残りのポートｆを，絞り１５を介して開放（図示の例では吸気調整弁１１の一次側における吸入流路１１５内で開放）し，三方電磁弁ＳＶ４の操作によって，吸気調整弁１１の閉弁受圧室１１３をレシーバタンク６０に連通する強制閉弁流路２１と，閉弁受圧室１１３を吸気制御弁１１の一次側における吸入流路１１５に連通する逃がし流路１４のいずれか一方が択一的に形成されるように構成するものとしても良い。
【００８２】
〔補助受圧室側の流路〕
（１）補助受圧室に連通される流路の種類
吸気調整弁１１のボディ１１１内に形成された前述の気密室（シリンダ）１１２内には，受圧体であるピストン１１９を介して前述の閉弁受圧室１１３とは反対側に，前述の補助受圧室１１４が形成されている。
【００８３】
この補助受圧室１１４には，補助受圧室１１４に対する外気の吸排気を可能とする吸排気流路２２と，補助受圧室１１４内を吸引して負圧とする吸引流路２３が連通されている。
【００８４】
（２）吸排気流路
このうちの吸排気流路２２は，通常運転モードでの運転時，補助受圧室１１４を大気開放して，受圧体（ピストン）１１９の移動に伴う補助受圧室１１４の容積変化に伴って，補助受圧室１１４内に対する外気の導入及び排出を可能とすると共に，始動負荷軽減モード時には，閉じることができるように構成されている。
【００８５】
図示の例では，前述の補助受圧室１１４に連通した吸排気流路２２を，吸気調整弁１１の一次側における吸入流路１１５内に連通し，補助受圧室に対し，圧縮機本体の吸入流路に設けた図示せざるエアフィルタを通過した気体を導入可能とすることで，補助受圧室１１４内に塵芥が吸入されて作動不良等が生じることを防止すると共に，吸排気音の消音を図っている。
【００８６】
（３）吸引流路
また，前述の吸引流路２３は，始動負荷軽減モード時，補助受圧室１１４を吸気調整弁１１の二次側で吸入流路１１５に連通して，補助受圧室１１４内を負圧に吸引するためのもので，通常運転モードでの運転時には，補助受圧室１１４と吸気調整弁１１の二次側間の連通を遮断することができるように構成されている。
【００８７】
（４）吸排気流路と吸引流路の構成例
前述した吸排気流路２２と吸引流路２３は，それぞれ独立して設けることもできるが，図示の実施形態では，吸排気流路２２と吸引流路２３とを一部共通の流路によって構成すると共に，両流路の開閉を，単一の三方電磁弁ＳＶ３によって行うことができるように構成している。
【００８８】
このような構成として，図１及び図２に示す例では，三方電磁弁ＳＶ３のコモンポートａを吸気調整弁１１の補助受圧室１１４に連通すると共に，三方電磁弁ＳＶ３の他のポートｂを吸気調整弁１１の一次側において吸入流路１１５に連通し，残りのポートｃを吸気調整弁１１の二次側において吸入流路１１５に連通している。
【００８９】
この構成により，始動負荷軽減モード時には，補助受圧室１１４と吸気調整弁１１の二次側とを連通することで吸引流路２３が形成される一方，補助受圧室１１４と吸気調整弁１１の一次側間（吸排気流路２２）が遮断され，通常運転モード時には，補助受圧室１１４を吸気調整弁１１の一次側に連通することで吸排気流路２２が形成されると共に，補助受圧室と吸気調整弁の二次側(吸引流路２３)が遮断されるように構成されている。
【００９０】
〔エンジン〕
本発明は，低回転速度域でのトルクや出力が，同程度の最大出力を発生する自然吸気エンジンに比較して小さい過給式のエンジンを搭載したエンジン駆動型圧縮機１に対し適用する場合に特に効果的であるが，本発明の適用対象とするエンジン駆動型圧縮機１は，このような過給式のエンジンを搭載したものに限定されず，自然吸気型のエンジンを搭載したエンジン駆動型圧縮機に対しても適用可能である。
【００９１】
また，本発明は，図７を参照して説明したように，ガバナレバーによって機械式の速度制御を行うエンジンを搭載したエンジン駆動型圧縮機１を対象とするものとすることも可能であるが，本実施形態のエンジン駆動型圧縮機１では，エンジンコントロールユニット（ＥＣＵ）を備えた電子制御式のエンジン５０を搭載したエンジン駆動型圧縮機１を対象とした。
【００９２】
従って，本実施形態のエンジン駆動型圧縮機１では，図７を参照して説明したエンジンのカバナレバーに代わり，ＥＣＵによって，後述するコントローラ３０からの速度指令によりエンジン５０の回転速度を制御する回転速度制御手段５１が実現されている。
【００９３】
また，エンジン５０には，該エンジン５０の運転状態を検出するための水温センサや水温スイッチ等の冷却水温検出手段５２，回転速度センサ等の回転速度検出手段５３，油圧センサまたは油圧スイッチ等の油圧検出手段（図示せず）等が設けられていると共に，オルタネータやダイナモ等の発電手段（図示せず）と，該発電手段の発電電圧及び／又は電流を検出する発電電圧／電流検出手段（図示せず）等の各種の検出手段が設けられている。
【００９４】
なお，前述の冷却水温検出手段５２である水温センサまたは水温スイッチは，エンジン５０のウォータジャケットの出口部（図示せず）に設けることが好ましく，ウォータジャケットの出口部にサーモスタット（図示せず）を設けている場合には，このサーモスタットの上流側に設ける。
【００９５】
〔キースイッチ〕
図１中の符号７０は，エンジン駆動型圧縮機１の始動及び停止操作を行うための既知のキースイッチであり，このキースイッチ７０にキー（図示せず）を指し込んで回転させることにより，「ＯＦＦ」，「ＯＮ」，「Ｃ」のいずれかのポジションに回転させることができるように構成されている。
【００９６】
このうちの「ＯＦＦ」はエンジン駆動型圧縮機１の各部に対する通電が停止された停止状態，「ＯＮ」は，所謂「アクセサリーポジション」であり，エンジン，コントローラなどの電子制御装置，センサや各種計器類等に対する通電が行われた状態，「Ｃ」は，「ＯＮ」ポジションで行われた通電状態を維持しつつ，更にエンジンのスタータモータに対し通電を行ってエンジン５０を始動させる，所謂「始動ポジション」である。
【００９７】
このようなキースイッチ７０を備えたエンジン駆動型圧縮機１の構成において，「ＯＦＦ」ポジションでキーが抜かれた状態にあるキースイッチ７０に，キーを差し込んで「ＯＮ」ポジションに回転させた後，更に「Ｃ」ポジションに回転させてスタータモータに対する通電を開始してエンジンを始動させた後，「ＯＮ」位置に戻すことで，エンジン駆動型圧縮機１の始動と運転の継続を行うことができると共に，「ＯＮ」ポジションから，「ＯＦＦ」ポジションに回転させると，エンジン駆動型圧縮機１を停止させ，且つ，キーを抜き取ることができるように構成されている。
【００９８】
なお，エンジン駆動型圧縮機１の始動及び停止操作のためのスイッチは，このようなキースイッチ７０に限定されず，アクセサリーのＯＮ，ＯＦＦを行うことができると共に，スタータモータのＯＮ，ＯＦＦを行うことができるものであれば，各種の構成を採用することかでき，アクセサリーのＯＮ，ＯＦＦと，スタータモータのＯＮ，ＯＦＦを行うスイッチは別々に設けるものとしても良い。
【００９９】
〔コントローラ〕
（１）全体構成
以上のように，各流路に設けられた電磁弁（図１ではＳＶ１〜ＳＶ３，図２ではＳＶ３，ＳＶ４）やエンジン５０等，エンジン駆動型圧縮機１の動作を統括的に制御するために，エンジン駆動型圧縮機１には，制御用のコントローラ３０が設けられている。
【０１００】
このコントローラ３０は，図３に示すように，エンジン５０の運転状態を判定する，エンジン運転状態判定手段３１と，このエンジン運転状態判定手段３１の判定結果に従い，始動負荷軽減モードでの運転，又は，通常運転モードでの運転を実行するための制御信号を各部に対して出力する，運転モード切替手段３２が実現されている。
【０１０１】
（２）エンジン運転状態判定手段
前述のエンジン運転状態判定手段３１は，前述したキースイッチ７０のポジションと，エンジン５０に設けられた回転速度検出手段５３，冷却水温検出手段５２，油圧検出手段（図示せず），及び発電電圧／電流検出手段（図示せず）からの検出信号，及び内蔵するタイマ３６によってカウントされたカウント時間に応じて，エンジン５０の運転状態を判定するもので，エンジン５０の運転状態として，始動待機状態，始動状態，及び，安定運転状態を判定する。
【０１０２】
このうち，始動待機状態は，キースイッチがＯＦＦからＯＮ（アクセサリーポジション）の状態に切り替えられ，エンジン運転状態判定手段３１が起動したときに判定される。
【０１０３】
また，始動状態は，前記エンジン５０の運転状態が所定の始動判定条件を満たしたときに判定されるもので，例えば，回転速度検出手段５３によって検出されたエンジンの回転速度が所定の始動判定回転速度（Ｎ１）を超えたとき，発電電圧／電流検出手段（図示せず）が検出した電圧／電流値が所定の始動判定値を超えたとき，又は，油圧検出手段（図示せず）が検出した圧力値が所定の始動判定圧力を超えたとき，のいずれかの条件を満たしたときに判定するものとすることができ，本実施形態にあっては，このうち，回転速度検出手段が，始動判定回転速度（Ｎ１）を超える回転速度を検出したときに始動状態の判定を行うものとした。
【０１０４】
さらに，安定運転状態は，前記始動状態が判定された後，所定の安定運転条件を満たしたときに判定され，本実施形態にあっては，エンジンの始動判定後，第一の所定時間が経過し，かつ，冷却水温検出手段５２によって検出されたエンジンの冷却水温度が所定の暖機完了温度（Ｔ１）を超えるか，又は，前記第一の所定時間の経過から更に第二の所定時間が経過するかの，いずれかの条件が満たされたとき，安定運転状態を判定するよう構成した。
【０１０５】
（３）運転モード切替手段
(3-1) 全体構成
運転モード切替手段３２は，前述したエンジン運転状態判定手段３１による判定結果に従い，エンジン駆動型圧縮機１の運転モードを，始動負荷軽減モードと通常運転モードのいずれかに切り替えるもので，この運転モード切替手段３２は，一例として，図３に示すように，更に，エンジン運転状態判定手段３１の判定結果に従い，前記いずれの運転モードと成すかを選択する運転モード選択手段３３と，前記運転モード選択手段３３の選択結果に従い，吸気調整弁１１の閉弁受圧室１１３と補助受圧室１１４に連通された各流路を開閉する電磁弁（図１の例ではＳＶ１〜ＳＶ３，図２の例では又はＳＶ３，ＳＶ４）の動作を制御する制御信号を出力する電磁弁制御手段３４と，エンジン５０の回転速度制御手段（ＥＣＵ）５１に対し選択結果に従った速度指令を出力するエンジン速度指令手段３５を備えている。
【０１０６】
(3-2) 運転モード選択手段
前述の運転モード選択手段３３は，エンジン運転状態判定手段３１が始動待機状態であることの判定後，安定運転状態であることの判定を行う迄，始動負荷軽減モードによる運転を選択すると共に，エンジン運転状態判定手段が安定運転状態にあることの判定を行うと，通常運転モードによる運転への移行を選択する。
【０１０７】
(3-3) 電磁弁制御手段
前述の電磁弁制御手段３４は，運転モード選択手段３３による運転モードの選択が，始動負荷軽減モードであるとき，逃がし流路１４と吸排気流路２２を閉じ，強制閉弁流路２１と吸引流路２３を開く制御信号を電磁弁（図１の例ではＳＶ１〜ＳＶ３，図２の例ではＳＶ３，ＳＶ４）に出力する。
【０１０８】
一方，運転モード選択手段３３が通常運転モードを選択した後，逃がし流路１４と吸排気流路２２の開放と，強制閉弁流路２１と吸引流路２３の閉塞を行う制御信号を前記各電磁弁（図１の例ではＳＶ１〜ＳＶ３，図２の例ではＳＶ３，ＳＶ４）に出力し，定格圧力（Ｐ４）を基準とした前記圧力調整弁１３の開閉動作による圧縮機本体４０の吐出側（レシーバタンク６０）と吸気調整弁１１の閉弁受圧室１１３間の連通及び遮断が行われる既知の吸気制御を開始する。
【０１０９】
(3-4) エンジン速度指令手段
前述のエンジン速度指令手段３５は，通常運転モードでの運転時，圧縮機本体の吐出側圧力（レシーバタンク内の圧力）を検出する圧力スイッチや圧力センサ等の圧力検出手段６５の検出圧力に応じて，エンジン５０の回転速度を無負荷回転速度（Ｎ２）と定格回転速度（Ｎ４）間で変化させる速度指令を回転速度制御手段（ＥＣＵ）５１に出力し，エンジン駆動型圧縮機１の始動から前記通常運転モードへの移行が行われるまでは，前記無負荷回転速度（Ｎ２）よりも高速であるが，定格回転速度（Ｎ４）よりも低速である始動回転速度（Ｎ３）となるようエンジン５０の回転速度制御手段（ＥＣＵ）５１に対し速度指令を出力する。
【０１１０】
ここで，エンジンの始動と暖機運転を，定格回転速度（Ｎ４）（最大出力）で行えば，エンジンストールのおそれは無くなるが，燃料消費量が多くなるため，始動及び暖機運転時の回転速度である始動回転速度（Ｎ３）は，可能な限り低回転とすることが好ましい。
【０１１１】
そこで，本実施形態にあっては，圧縮機本体４０の無負荷運転時（Ｎ２）の動力に対し所定の余裕を加えた動力を設定し，この設定した動力を超えるエンジン出力，トルクを発生する回転速度という条件を満足する，可及的に低い回転速度に始動回転速度（Ｎ３）を設定している。
【０１１２】
〔動作説明等〕
以上のように構成された本発明のエンジン駆動型圧縮機１における，始動負荷軽減モードでの始動から，通常運転モードによる運転迄の一連の動作を図４に示したタイムチャートを参照して説明すれば，以下の通りである。
【０１１３】
（１）始動負荷軽減モードによる始動
キースイッチ７０にキーを差し込み，ＯＦＦポジションからＯＮポジションに切り替えると，エンジン駆動型圧縮機１を構成するエンジン５０やコントローラ３０等の制御装置類，各検出手段や計器盤等に対する通電が開始され，コントローラ３０のエンジン運転状態判定手段３１が起動して，エンジン５０が始動を待機した状態にある，始動待機状態であると判定する。
【０１１４】
この，エンジン運転状態判定手段３１の判定結果に従い，運転モード選択手段３３は運転モードとして始動負荷軽減モードを選択し，電磁弁制御手段３４は，この選択結果に従い，各電磁弁（図１の例ではＳＶ１〜ＳＶ３，図２の例ではＳＶ３，ＳＶ４）に制御信号を出力し，前記逃がし流路１４と前記吸排気流路２２を閉じ，前記強制閉弁流路２１と前記吸引流路２３を開く制御信号を出力してエンジン５０の始動を待機する。
【０１１５】
図１に示す例では，電磁弁制御手段３４からの制御信号によって，強制閉弁流路２１に設けた電磁弁ＳＶ１を開，逃がし流路１４に設けた電磁弁ＳＶ２を閉と成すと共に，三方電磁弁ＳＶ３によって，補助受圧室１１４と吸気調整弁１１の二次側（ポートａ−ｃ）間を連通して，補助受圧室１１４内を負圧と成す吸引流路２３が形成されると共に，補助受圧室１１４と吸気調整弁の一次側（ポートａ−ｂ）間（吸排気流路２２）を遮断する。
【０１１６】
また，図２に示す例では，電磁弁制御手段３４からの制御信号によって三方電磁弁ＳＶ４が吸気調整弁１１の閉弁受圧室１１３とレシーバタンク６０間（ポートｄ−ｅ）を連通して強制閉弁流路２１を形成すると共に，閉弁受圧室１１３と吸気調整弁１１の一次側間（ポートｄ−ｆ），すなわち逃がし流路１４を遮断し，また，三方電磁弁ＳＶ３によって，補助受圧室１１４と吸気調整弁１１の二次側間（ポートａ−ｃ）を連通して，補助受圧室１１４内を負圧と成す吸引流路２３を形成すると共に，補助受圧室１１４と吸気調整弁１１の一次側間（ポートａ−ｂ），すなわち吸排気流路２２を遮断する。
【０１１７】
このように，始動負荷軽減モードでエンジン５０の始動を待機している状態では，吸気調整弁１１の閉弁受圧室１１３と補助受圧室（スプリング室）１１４内の圧力は共に大気圧（ゲージ圧０MPa）であるため，スプリング１１４ａの付勢力のみが受圧体（ピストン）１１９に作用し，受圧体１１９は図中，紙面左側に押され，吸気調整弁１１の弁体１１６が弁座１１５ａより最大限離間した，全開状態となっている。
【０１１８】
また，運転モード切替手段３２のエンジン速度指令手段３５は，運転モード選択手段３３の選択に従い，エンジン５０に設けた回転速度制御手段（ＥＣＵ）５１に対し，通常運転モード時の無負荷回転速度（Ｎ２）よりも高い回転速度である始動回転速度（Ｎ３）とする速度指令を出力する。
【０１１９】
このようにして，エンジン５０の始動を待機した状態から，キースイッチ７０をＯＮポジションからＣポジション（始動ポジション）に切り替えて，スタータモータに対する通電を開始してエンジン５０を回転させると，スタータモータによるエンジン５０の回転に伴ってエンジン５０の出力軸に連結されている圧縮機本体４０も回転を開始する。
【０１２０】
このとき，吸気調整弁１１は全開の状態にあることから，スタータモータによってエンジン５０と共に回転された圧縮機本体４０は，被圧縮気体の吸入と圧縮を開始する。
【０１２１】
このように圧縮機本体４０が吸気を開始することで，圧縮機本体４０の吸入流路１１５が負圧になると，吸入流路１１５に吸引流路２３を介して連通された補助受圧室（スプリング室）１１４内も負圧となる。
【０１２２】
また，圧縮機本体４０内に吸引された被圧縮気体は，圧縮機本体４０内で圧縮されて吐出されることで圧縮機本体４０の吐出側圧力（レシーバタンク６０内の圧力）が上昇し，圧縮機本体４０の吐出側（レシーバタンク６０）と強制閉弁流路２１を介して連通された吸気調整弁１１の閉弁受圧室１１３内の圧力が上昇を開始する。
【０１２３】
閉弁受圧室１１３内の圧縮気体を放気する逃がし流路１４は，始動負荷軽減モードの選択時，閉じているため，このようにしてレシーバタンク６０内の圧力が上昇すると，この圧力上昇は，そのまま，閉弁受圧室１１３内の圧力上昇となって，受圧体１１９に対し直接作用すると共に，補助受圧室（スプリング室）１１４が吸気調整弁１１の二次側に連通されて負圧となっていることで，気密室（シリンダ）１１２内の受圧体（ピストン）１１９には，閉弁受圧室１１３側からの加圧と，補助受圧室１１４側からの吸引力が同時に作用し，両者の相乗効果によって，これを図１中，紙面右方向に移動させて，弁体１１６を弁座１１５ａに着座させる，閉弁方向の力が加わる。
【０１２４】
その結果，同一の性能を有する吸気調整弁１１を使用した場合，逃がし流路によって放気されている閉弁受圧室内に対し圧縮気体を導入して始動時における閉弁を達成しようとした前掲の特許文献１に記載の構成に比較して，逃がし流路１４を閉じた状態で，且つ，閉弁受圧室１１３側からの加圧と，補助受圧室１１４側からの負圧吸引によって受圧体１１９を移動させる構成を採用した本発明の構成では，特許文献１に記載の始動負荷軽減状態での始動によって吸気調整弁が全閉となるレシーバタンク内の圧力（Ｐ３）に対し，より低いレシーバタンク６０内の圧力（Ｐ１）によって吸気調整弁１１を全閉とすることができ，その結果，圧縮機本体４０が回転を開始した後，より早期に吸気調整弁１１を閉じることができる。
【０１２５】
このように，本発明の構成では，圧縮機本体４０が回転を開始した後，極めて短時間のうちに吸気調整弁を閉じることが可能であることから，スタータモータによるエンジンの回転中に吸気調整弁１１が絞られ，好ましくは閉じることで，スタータモータから切り離され，自立運転を開始した始動直後の最も不安定な運転状態にあるエンジン５０の負荷を大幅に軽減して，低回転領域から始動回転速度（Ｎ３）への立ち上がりを円滑に行わせることが可能であると共に，始動負荷軽減モードによる始動時のエンジンの回転速度である始動回転速度（Ｎ３）を，通常運転モード時における無負荷回転速度（Ｎ２）よりも高回転に設定したことにより，始動負荷軽減モードでの運転時におけるエンジンのトルクと出力を高めることで，エンジンストールを発生させることなく，所定の安定運転状態となる迄，暖機運転を行うことが可能である。
【０１２６】
（２）始動負荷軽減モードから通常運転モードへの移行
以上のようにして，始動負荷軽減モードでの始動を行った後，回転速度検出手段５３が所定の始動判定回転速度（Ｎ１）以上の回転速度を検出すると，エンジン運転状態判定手段３１は，エンジン５０が始動したことを判定し，このエンジン５０の始動判定後，所定の安定運転判定条件が満たされることで，エンジン運転状態判定手段３１は，エンジン５０が安定運転となったことを判定する。
【０１２７】
本実施形態において，この安定運転判定条件は，エンジンの始動判定から第一の所定時間が経過した後，更に，冷却水温が予め設定した温度（Ｔ１）を超えるか，又は，前記第一の所定時間の経過から更に第二の所定時間が経過するかのいずれか一方の条件が満たされたときに満たされ，エンジン運転状態判定手段３１はエンジン５０が安定運転状態になったことを判定する。
【０１２８】
図４には，第一の所定時間経過後，第二の所定時間が経過する前に，冷却水温が設定温度（Ｔ１）を超えることで安定運転状態であることの判定が行われた例を示している。
【０１２９】
なお，本実施形態では，上記第一設定時間を，エンジン５０の始動判定後，無負荷回転速度（Ｎ２）に達し，かつエンジン５０の各部に設けた各種センサからの信号によりＥＣＵが，エンジン運転状態を自己診断するに要する時間を考慮し，一例として３０秒に設定した。
【０１３０】
また，本実施形態では，上記第二の設定時間を，通常の周囲環境条件（常温）時に，エンジン始動後，冷却水温が所定温度（Ｔ１）を超える，または，エンジンオイルが各部に行き渡る，所謂「暖機運転」が完了するまでに要する時間に基づいて，一例として１２０秒に設定した。
【０１３１】
なお，本実施形態にあっては，前述のようにエンジンの始動判定を，エンジン回転速度の検出結果に基づいて行うものとしたが，この構成に代えて，オルタネータやダイナモ等のエンジンに設けた発電装置（図示せず）の発電電圧や発電電流を検出する，発電電圧／電流検出手段（図示せず）が検出する電圧／電流値が，所定の始動判定値以上となったときにエンジン５０の始動判定を行うものとしても良く，又は，エンジン５０の油圧を検出する油圧検出手段（図示せず）を設け，該油圧検出手段が検出した油圧が所定の始動判定値以上となったときにエンジンの始動を判定するものとしても良く，エンジンの運転状態を判定可能な各種検出手段からの検出信号を利用して判定することができる。
【０１３２】
このように，エンジン運転状態判定手段３１が，エンジン５０が安定運転状態となったことを判定すると，運転モード切替手段３２に設けた運転モード選択手段３３は，運転モードとして，通常運転モードを選択し，以降，キースイッチ７０をＯＦＦポジションに操作してエンジン駆動型圧縮機１を停止する迄，通常運転モードによる運転が行われる。
【０１３３】
この通常運転モードの選択に従い，電磁弁制御手段３４は，各電磁弁（図１の例ではＳＶ１〜ＳＶ３，図２の例ではＳＶ３，ＳＶ４）に作動信号を出力し，前記逃がし流路１４と前記吸排気流路２２を開き，前記強制閉弁流路２１と前記吸引流路２３を閉じる。
【０１３４】
図１に示す例では，電磁弁制御手段３４からの制御信号によって，強制閉弁流路２１に設けた電磁弁ＳＶ１を閉，逃がし流路１４に設けた電磁弁ＳＶ２を開と成すと共に，三方電磁弁ＳＶ３によって，補助受圧室１１４と吸気調整弁１１の一次側間（ポートａ−ｂ）を連通して吸排気流路２２を開くと共に，補助受圧室１１４と吸気調整弁１１の二次側間（ポートａ−ｃ），すなわち吸引流路２３が閉ざされる。
【０１３５】
また，図２に示す例では，電磁弁制御手段３４からの制御信号によって三方電磁弁ＳＶ４が，吸気調整弁１１の閉弁受圧室１１３と吸気調整弁１１の一次側間（ポートｄ−ｆ）を連通して逃がし流路を開くと共に，閉弁受圧室とレシーバタンク間（ポートｄ−ｅ），従って強制閉弁流路２１を閉じ，また，三方電磁弁ＳＶ３によって，補助受圧室１１４と吸気調整弁１１の一次側間（ポートａ−ｂ）を連通して吸排気流路２２を開くと共に，補助受圧室１１４と吸気調整弁１１の二次側間（ポートａ−ｃ），従って吸引流路２３を閉じる。
【０１３６】
これにより，圧縮機本体４０に対する吸気調整が，レシーバタンク６０内の圧力に応じて圧力調整弁１３が制御流路１２を開閉制御することにより行われる，既知の通常運転モードでの運転に移行する。
【０１３７】
すなわち，閉弁受圧室１１３と補助受圧室１１４に対する各流路の連通状態を前述したように切り替えたことにより，補助受圧室（スプリング室）１１４は閉弁状態にある吸気調整弁１１の一次側と連通することで，負圧の状態から大気圧となる。
【０１３８】
また，強制閉弁流路２１を介した閉弁受圧室１１３とレシーバタンク６０間の連通が遮断されると共に，通常運転モードへの移行直後には，レシーバタンク６０内の圧力は圧力調整弁１３の作動圧力未満であるため制御流路１２を介した閉弁受圧室１１３とレシーバタンク６０間の連通も行われていない。
【０１３９】
しかも，閉弁受圧室１１３内の圧縮気体は，逃がし流路１４が開くことで放気され，受圧体１１９を図示右側に押圧する力，すなわち，吸気調整弁１１の弁体１１６を閉弁方向に押圧する力が消失する。
【０１４０】
その結果，受圧体１１９はスプリング１１４ａの付勢力によって紙面左側，従って，吸気調整弁１１の弁体１１６を弁座１１５ａより離間する方向に押圧されて吸気調整弁１１が全開状態となる。
【０１４１】
また，エンジン速度指令手段３５は，運転モード選択手段３３による通常運転モードの選択により始動回転速度（Ｎ３）による一定回転速度での運転を解除して，レシーバタンク６０内の圧力を検出する圧力検出手段６５が検出した圧力に応じて，無負荷回転速度（Ｎ２）から定格回転速度（Ｎ４）の間で無段階にエンジン５０の回転速度を可変と成す速度指令を出力する，既知の速度制御が行われる。
【０１４２】
そして，始動負荷軽減モードから通常運転モードに移行した際のレシーバタンク６０内の圧力（Ｐ１）は，定格圧力（Ｐ４）よりも低圧であり，このレシーバタンク６０内の圧力（Ｐ１）を検出した圧力検出手段６５からの検出信号に基づき，エンジン速度指令手段３５は，エンジンの回転速度を定格回転速度（Ｎ４）とする速度指令を回転速度制御手段（ＥＣＵ）５１へ出力する。
【０１４３】
また，圧力調整弁１３も定格圧力（Ｐ４）未満では閉弁状態であるため，吸気調整弁１１の閉弁受圧室１１３に対しレシーバタンク６０内の圧力が導入されていないことから，吸気調整弁１１は全開状態を維持し，レシーバタンク６０内の圧力が上昇する。
【０１４４】
レシーバタンク６０内の圧力上昇に応じ，レシーバタンク６０内の圧力を検出する圧力検出手段６５からの検出信号を受信したエンジン速度指令手段３５は，レシーバタンク６０内の圧力が定格圧力（Ｐ４）を超えると，エンジン５０の回転速度を定格回転速度（Ｎ４）から圧力の上昇に応じて徐々に減速していき，無負荷回転速度（Ｎ２）まで低下させる。
【０１４５】
また，レシーバタンク６０内の圧力が上昇して定格圧力（Ｐ４）以上になると，圧力調整弁１３が制御流路１２を開いて吸気調整弁１１の閉弁受圧室１１３に対する圧縮気体の導入が開始されて圧縮機本体４０の吸気口４１が絞り又は閉ざされ，一方，レシーバタンク６０内の圧力が定格圧力（Ｐ４）未満になると圧力調整弁１３が制御流路１２を閉じて吸気調整弁１１の閉弁受圧室１１３に対する圧縮気体の導入が停止されて吸気調整弁１１は圧縮機本体４０の吸気口４１を開くことで，レシーバタンク６０内の圧力が定格圧力（Ｐ４）となるよう，既知の吸気調整が行われ，以降，エンジン駆動型圧縮機１が停止する迄，前述した速度制御と吸気調整が行われる。
【０１４６】
〔効果等〕
図７を参照して説明した特許文献１に記載の構成では，アンローダレギュレータ３１６の閉弁受圧室は逃がし流路３１４を介して常時開放されており，レシーバタンク３６０内の圧力の一部しか閉弁動作に利用されていない。
【０１４７】
しかも，特許文献１に記載の構成では，負圧を利用した閉弁作用がないことから，圧力調整弁３１３をバイパスしてレシーバタンク３６０とアンローダレギュレータ３１６を直接連通した状態でエンジン３５０を始動させたとしても，レシーバタンク３６０内の圧力が本実施例の始動負荷軽減モード時に吸気調整弁３１１が全閉となる圧力（Ｐ１）よりも高い圧力（Ｐ３）とならなければ吸気調整弁３１１は全閉（無負荷運転）にはならず，エンジン３５０の始動から無負荷運転となるまでの間，始動から回転立上がり途中のエンジン３５０には本実施例と比べて長時間，圧縮に伴う負荷がかかるため，始動に失敗してエンジンストールが生じる恐れがある。
【０１４８】
これに対し，図１〜図４を参照して説明した本発明の構成では，始動負荷軽減モードによるエンジン駆動型圧縮機１の始動後，即座に圧縮機本体４０の吸気口４１を閉じて無負荷運転とすることにより，スムーズにエンジン５０を始動できると共に，エンジン５０が所定の始動判定回転速度（Ｎ１）に達し，更に，所定の安定運転状態となるまで暖機運転を行ってから通常運転モードに移行する構成としたことで，通常運転への移行によって全負荷運転に移行してもエンジン５０がストールすることがない。
【０１４９】
さらに，エンジン５０の始動判定から第一の所定時間経過後，エンジン５０の冷却水温度が設定温度（Ｔ１）を超えるか，または第二の所定時間を経過するかの，いずれか一方の条件が満たされたときに安定運転状態となったことを判定し，始動負荷軽減モードから通常運転モードに移行することにより，冷却水温が所定の設定温度（Ｔ１）以上となっていて暖機が不要な場合に迄，第二の所定時間が経過する迄始動負荷軽減モードによる運転を継続することによる燃料の浪費を防止することができ，速やかに圧縮空気を用いた作業を開始することができる。
【０１５０】
〔その他（変更例）〕
以上で説明した構成では，エンジン運転状態判定手段３１による安定運転状態の判定，従って，運転モード選択手段３３が通常運転モードを選択した際，電磁弁制御手段３４が，前記逃がし流路１４と前記吸排気流路２２の開放，前記強制閉弁流路２１と前記吸引流路２３の閉塞をいずれも同時に行う構成について説明した。
【０１５１】
しかし，油冷式の圧縮機本体４０を搭載したエンジン駆動型圧縮機１では，圧縮気体と共に吐出した潤滑油をレシーバタンク６０内に回収し，回収した潤滑油をレシーバタンク６０内の圧力によって再度，圧縮機本体４０に給油する構成を採用する。
【０１５２】
そのため，始動負荷軽減モード時のレシーバタンク６０内の圧力が比較的低い圧力（Ｐ１）となる本発明のエンジン駆動型圧縮機１の構成では，寒冷時等の低温の環境で使用する場合のように，潤滑油が低温で高粘度の状態にあり，流動性が低くなっていると，圧縮機本体４０に対して充分に潤滑油を圧送できない場合が生じ得る。
【０１５３】
このように，圧縮機本体４０に対する給油が不十分の状態であっても，始動負荷軽減モードでの運転時には吸気調整弁１１が全閉となっており，圧縮機本体４０は吸気と圧縮を行っていないことから，給油不足が生じていても吐出気体温度が上昇しないため吐出空気温度の異常上昇により当該圧縮機が非常停止することはないが，このように吐出気体温度が上昇しないということは，レシーバタンク６０内の潤滑油も温まり難くなっていることを意味する。
【０１５４】
そのため，始動負荷軽減モードでの運転によりエンジン５０は暖機されても，圧縮機本体４０に給油される潤滑油は充分に暖まっていないため，この状態で通常運転モードに移行して全負荷運転が開始されると，全負荷運転開始直後に圧縮機本体４０に対する潤滑油の供給量が不足してしまい，圧縮機本体４０内の温度（吐出空気温度）が急激に上昇して当該圧縮機が非常停止することも懸念される。
【０１５５】
そこで，本実施形態では，図１〜図４を参照して説明した前述の実施形態において，通常運転モードへの移行時に，電磁弁制御手段３４が，前記逃がし流路１４と前記吸排気流路２２の開放と，前記強制閉弁流路２１と前記吸引流路２３の閉塞をいずれも同時に行っていた構成に代えて，通常運転モードへの移行時，電磁弁制御手段３４が，先ず，前記吸排気流路２２を開くと共に，前記吸引流路２３を閉じる制御信号（ポートａ−ｃを閉じ，ポートａ−ｂを開く制御信号）を三方電磁弁ＳＶ３に出力して，通常運転移行準備を実行し，その後，更に，第三の所定時間が経過したときに，電磁弁（図１の構成ではＳＶ１，ＳＶ２，図２の構成ではＳＶ４）に対し逃がし流路１４を開くと共に，強制閉弁流路２１を閉じる制御信号（図１の例ではＳＶ１を閉，ＳＶ２を開とする制御信号，図２の例ではＳＶ４のポートｄ−ｅ間を閉じ，ポートｄ−ｆ間を開く制御信号）を出力して，通常運転に移行するように構成し，これによって，通常運転モードに移行して全負荷運転に移行する前に，レシーバタンク６０内の圧力を，始動負荷軽減モード時の圧力（Ｐ１）から，寒冷時等において流動性が低下している潤滑油であっても圧縮機本体４０に対し圧送可能な圧力（Ｐ２）まで昇圧させるようにした。
【０１５６】
この場合，エンジン速度指令手段３５は，エンジン運転状態判定手段３１が安定運転状態であることの判定を行った後，従って運転モード選択手段３３が通常運転モードの選択をした後，前記第三の所定時間が経過して通常運転モードに移行する迄，始動回転速度Ｎ３でのエンジン５０の回転速度制御を継続し，前記第三の所定時間が経過して通常運転モードに移行した後，圧力検出手段６５によって検出されたレシーバタンク６０内の圧力に応じて，無負荷回転速度（Ｎ２）と定格回転速度（Ｎ４）間での速度制御を開始するように構成する（図５参照）。
【０１５７】
なお，本実施形態では，この第三の所定時間を，通常運転移行準備中にレシーバタンク６０内の圧力がＰ１からＰ２まで昇圧に要する時間と，レシーバタンク６０内の圧力がＰ２に到達した後，再びＥＣＵがエンジン５０の運転状態を自己診断するに要する時間，または，潤滑油が各機器を循環するに要する時間等を考慮し，一例として６０秒に設定した。
【０１５８】
このように，通常運転移行準備によって吸引流路２３を閉じると共に前記吸排気流路２２を開くことで，補助受圧室１１４内の負圧が解消される。
【０１５９】
その結果，受圧体１１９を閉弁方向（図１，図２中の紙面右側）に移動させるように作用していた力が弱まることで，スプリング１１４ａの付勢力によって受圧体１１９は，図中の紙面左側に移動され，受圧体１１９に対し弁軸１１６ａを介して連結された弁体１１６が弁座１１５ａより離間されて吸気調整弁１１が僅かに開く。
【０１６０】
このようにして吸気調整弁１１が開くと，圧縮機本体４０は吸気を開始すると共に，吸入した気体を圧縮して吐出することで，レシーバタンク６０内の圧力が上昇する。
【０１６１】
この通常運転移行準備段階では，未だ，強制閉弁流路２１による閉弁受圧室１１３とレシーバタンク６０間の連通は維持されていると共に，逃がし流路１４が閉じた状態にあるため，レシーバタンク６０内の圧力が所定圧力（Ｐ２）迄上昇すると，閉弁受圧室１１３内の圧力も同一圧力に上昇して，再度，吸気調整弁１１を閉じることで，レシーバタンク６０内の圧力が，前述した所定の圧力（Ｐ２）に維持される。
【０１６２】
このときのレシーバタンク内の圧力（Ｐ２）は，逃がし流路３１４を開放した状態の始動負荷軽減状態で運転を行う従来のエンジン駆動型圧縮機（図７参照）におけるレシーバタンク内圧力（Ｐ３）に比較して低い圧力とすることができる。
【０１６３】
このようにして，第３の所定時間（一例として６０秒），通常運転移行準備を行うことで，レシーバタンク６０内の圧力を所定の圧力（Ｐ２）に上昇させた後，逃がし流路１４を開くと共に，強制閉弁流路２１を閉じて通常運転に移行することで，吸気調整弁１１が全開となって全負荷運転に移行した際，所定の圧力（Ｐ２）までレシーバタンク６０内の圧力が既に上昇しているために，圧縮機本体４０に対する潤滑油の供給を確実に行うことができ，その結果，吐出空気温度の異常上昇による非常停止の発生を防止することが可能となる。
【符号の説明】
【０１６４】
１  エンジン駆動型圧縮機
１０  吸気調整装置
１１  吸気調整弁
１１１  ボディ（弁箱）
１１２  気密室（シリンダ）
１１３  閉弁受圧室
１１４  補助受圧室（スプリング室）
１１４ａ  スプリング
１１５  吸入流路
１１５ａ  弁座
１１６  弁体
１１６ａ，１１６ａ’  弁軸
１１６ｂ  弁体閉鎖用スプリング
１１７  スリーブ
１１８  端板
１１９  受圧体（ピストン）
１１９ａ  ピストンロッド
１２  制御流路
１３  圧力調整弁
１４  逃がし流路
１５  絞り
２１  強制閉弁流路
２２  吸排気流路
２３  吸引流路
３０  コントローラ
３１  エンジン運転状態判定手段
３２  運転モード切替手段
３３  運転モード選択手段
３４  電磁弁制御手段
３５  エンジン速度指令手段
３６  タイマ
４０  圧縮機本体
４１  吸気口
５０  エンジン
５１  回転速度制御手段（ＥＣＵ）
５２  冷却水温検出手段
５３  回転速度検出手段
６０  レシーバタンク
６１  逆止弁
６２  吐出流路
６３  オイルクーラ
６４  給油流路
６５  圧力検出手段
７０  キースイッチ
ＳＶ１．ＳＶ２  電磁弁（２方）
ＳＶ３，ＳＶ４  電磁弁（３方）
３００  エンジン駆動型圧縮機
３１０  吸気調整装置
３１１  吸気調整弁
３１２  制御流路
３１３  圧力調整弁
３１４  逃がし流路
３１５  絞り
３１６  アンローダレギュレータ
３２０  始動負荷軽減装置
３２１  バイパス流路
３２５  始動アンローダバルブ
３４０  圧縮機本体
３４１  吸気口
３５０  エンジン
３６０  レシーバタンク
３６３  オイルクーラ
３６４  給油流路
３６６  オイルセパレータ
３６７  オイルフィルタ
【図１】
0006618347.tif 000002
【図２】
0006618347.tif 000003
【図３】
0006618347.tif 000004
【図４】
0006618347.tif 000005
【図５】
0006618347.tif 000006
【図６】
0006618347.tif 000007
【図７】
0006618347.tif 000008